【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、
該主制御手段からのコマンドに基づいて演出表示装置による演出の進行を制御する演出制御手段と、
を備える遊技機であって、
前記遊技機は、さらに、
遊技盤に形成される遊技領域に配置されるとともに、予め定めた作動条件が成立したときに電気的駆動源により作動されて前記遊技領域を流下する遊技球を受け入れることができる作動役物装置
を備え、
前記主制御手段は、少なくとも、
主制御ＭＰＵと、
復電時において、パワーオンリセット信号を出力するパワーオンリセット手段と、
前記パワーオンリセット信号でリセットされる機能を有する出力手段を用いて前記作動役物装置の前記電気的駆動源を駆動し、
電源が遮断される旨の停電予告信号を前記パワーオンリセット信号でリセットされない出力手段を用いて前記演出制御手段に伝え、
前記復電時において、前記演出制御手段が起動するまで待機する待機制御手段と、
該待機制御手段が待機した後に、前記遊技機への電源が遮断されるか否かを判別する電源遮断判別制御手段と、
を含み
前記主制御ＭＰＵはウォッチドックタイマを内蔵し、該ウォッチドックタイマは所定時間内に前記ウォッチドックタイマのレジスタがセットされないことによって前記主制御ＭＰＵをリセットするものであり、
前記主制御手段は前記復電時に、前記待機制御手段によって前記演出制御手段が起動するまで待機し、
前記待機制御手段が待機した後に前記遊技機への電源が遮断されると前記電源遮断判別制御手段により判別され続けた場合、前記ウォッチドックタイマは所定時間内に前記ウォッチドックタイマのレジスタがセットされないことによって前記主制御ＭＰＵをリセットし、
前記待機制御手段が待機した後に前記遊技機への電源が遮断されないと前記電源遮断判別制御手段により判別された場合、前記主制御手段は、遊技の進行を行い、該遊技の進行を行っている際に、前記遊技機への電源が遮断されても、前記遊技の進行による遊技情報を記憶するためのバックアップ処理を完了することを特徴とする遊技機。
【手続補正２】
【補正対象書類名】明細書
【補正対象項目名】０００２
【補正方法】変更
【補正の内容】
【０００２】
従来より、始動入賞口への入賞による遊技球を検出した場合、当りの抽選、変動パターンの抽選、停止図柄の抽選等を行うとともに、特別図柄表示装置を制御する主制御部（主制御手段）と、この主制御部からの抽選結果に応じたコマンドにより遊技領域等に設けられているランプの点滅制御、スピーカから出力される効果音の制御、及び、モータを回転制御し遊技領域等に設けられているキャラクタフィギャア等の演出用可動物の制御を行う副制御部（演出制御手段）と、この副制御部からのコマンドにより演出図柄表示装置１０３を制御する表示制御部と、を備える遊技機が提案されている（例えば、特許文献１）。
【手続補正３】
【補正対象書類名】明細書
【補正対象項目名】０００３
【補正方法】変更
【補正の内容】
【０００３】
特許文献１に記載される遊技機においては、電源が投入されると、主制御部は、初期値設定処理を行い、割込みモード等を設定するＣＰＵ機能初期化処理を行い、ＲＡＭクリアスイッチが押されたか否かを判定し、副制御部等の周辺装置が起動するまで待機して、他の処理を行うようになっている。そして、電源が遮断されると、主制御部は、チェックサムを算出し、この算出結果をサムチェックバッファに記憶してバックアップデータを保持することができるようになっている。
ところで、特許文献１に記載される遊技機においては、電源が投入されると、主制御部は、副制御部等の周辺装置が起動するまで待機しているが、これは、例えば主制御部が副制御部よりも先に起動してコマンドを副制御部に送信すると、この送信されたコマンドを副制御部が取りこぼすことを防止するためである。
【手続補正４】
【補正対象書類名】明細書
【補正対象項目名】０００４
【補正方法】変更
【補正の内容】
【０００４】
【特許文献１】特開２０１２−０７１１６４号公報（段落［００５９］、図２、及び図７）
【手続補正５】
【補正対象書類名】明細書
【補正対象項目名】０００５
【補正方法】変更
【補正の内容】
【０００５】
ところが、特許文献１に記載される遊技機においては、電源が投入されると、主制御部は、副制御部等の周辺装置が起動するまで待機しているものの、この待機している間に、瞬停や停電が発生すると、チェックサムを算出し、この算出結果をサムチェックバッファに記憶完了する手前で機能停止することとなる。そうすると、主制御部は、電力が回復する復電時において、再起動して再びチェックサムを算出し、この算出結果とサムチェックバッファとが一致するか否かを判定したとしても、一致するはずがなく、ホールの店員等によりＲＡＭクリアスイッチが押されていなくても、ＲＡＭの内容（遊技情報）を初期化するという問題があった。
【手続補正６】
【補正対象書類名】明細書
【補正対象項目名】０００６
【補正方法】変更
【補正の内容】
【０００６】
本発明は、このような事情に鑑みてなされたものであり、その目的とするところは、復電時において、瞬停や停電が発生する直前の遊技情報が初期化されることを防止することができる遊技機を提供することにある。
【手続補正７】
【補正対象書類名】明細書
【補正対象項目名】０００８
【補正方法】変更
【補正の内容】
【０００８】
（解決手段１）
遊技の進行を制御する主制御手段と、該主制御手段からのコマンドに基づいて演出表示装置による演出の進行を制御する演出制御手段と、を備える遊技機であって、前記遊技機は、さらに、遊技盤に形成される遊技領域に配置されるとともに、予め定めた作動条件が成立したときに電気的駆動源により作動されて前記遊技領域を流下する遊技球を受け入れることができる作動役物装置を備え、前記主制御手段は、少なくとも、主制御ＭＰＵと、復電時において、パワーオンリセット信号を出力するパワーオンリセット手段と、前記パワーオンリセット信号でリセットされる機能を有する出力手段を用いて前記作動役物装置の前記電気的駆動源を駆動し、電源が遮断される旨の停電予告信号を前記パワーオンリセット信号でリセットされない出力手段を用いて前記演出制御手段に伝え、前記復電時において、前記演出制御手段が起動するまで待機する待機制御手段と、該待機制御手段が待機した後に、前記遊技機への電源が遮断されるか否かを判別する電源遮断判別制御手段と、を含み前記主制御ＭＰＵはウォッチドックタイマを内蔵し、該ウォッチドックタイマは所定時間内に前記ウォッチドックタイマのレジスタがセットされないことによって前記主制御ＭＰＵをリセットするものであり、前記主制御手段は前記復電時に、前記待機制御手段によって前記演出制御手段が起動するまで待機し、前記待機制御手段が待機した後に前記遊技機への電源が遮断されると前記電源遮断判別制御手段により判別され続けた場合、前記ウォッチドックタイマは所定時間内に前記ウォッチドックタイマのレジスタがセットされないことによって前記主制御ＭＰＵをリセットし、前記待機制御手段が待機した後に前記遊技機への電源が遮断されないと前記電源遮断判別制御手段により判別された場合、前記主制御手段は、遊技の進行を行い、該遊技の進行を行っている際に、前記遊技機への電源が遮断されても、前記遊技の進行による遊技情報を記憶するためのバックアップ処理を完了することを特徴とする遊技機。
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】変更
【補正の内容】
【００１５】
本発明の遊技機においては、復電時において、瞬停や停電が発生する直前の遊技情報が初期化されることを防止することができる。